(57)【要約】【課題】狭所における配管の吊り上げ又は吊り下げ作業の作業性を改善すると共に、配管の落下等による人身事故を防止して安全性の向上を図ることができる、配管吊り具を得る。【解決手段】配管の外周部を締着するため当該配管の外周径より僅かに狭い内周径を有したバンド体２において、該バンド体２の外周上にチェーンブロック等のフックを掛止するための吊りピース部３を少なくとも１箇所以上配設し、更に配管の外周部に当該バンド体２をボルト７及びナット８等にて締着するためのジョイント部６を少なくとも１箇所以上配設して構成する。【選択図】　　　　　図１
2004036872.tif 000002
【特許請求の範囲】
【請求項１】
配管の外周部を締着するため当該配管の外周径より僅かに狭い内周径を有したバンド体（２）において、該バンド体（２）の外周上にチェーンブロック等のフックを掛止するための吊りピース部（３）を少なくとも１箇所以上配設し、更に配管の外周部に当該バンド体（２）をボルト（７）及びナット（８）等にて締着するためのジョイント部（６）を少なくとも１箇所以上配設して構成したことを特徴とする、配管吊り具。
【発明の詳細な説明】
【０００１】
【発明の属する技術分野】
本発明は、各種配管工事等において配管用鋼管（以後単に配管という）の吊り上げ又は吊り下げを行う場合に使用する、配管吊り具に関するものである。
【０００２】
【従来の技術】
従来、各種配管工事等において配管の吊り上げ又は吊り下げを行う場合、両端部に小さな輪が形成されたスチール製等のロープを配管に直接巻き、該ロープの一端側の輪に他端側のロープを通して縛り、該他端側の輪にチェーンブロック等のフックを掛止することにより、吊り上げ又は吊り下げを行っている。
【０００３】
【発明が解決しようとする課題】
しかしながら、上記従来技術における方法で使用するスチール製等のロープの長さは予め規格化されて決められているため、各配管の太さに適合した長さのロープを自由に得ることができなかった。このため、配管の太さに比べ長めのロープを使用せざるを得なく、且つロープの両端部にある小さな輪の長さ分により配管の側面よりチェーンブロック等のフックを掛止するための輪までの距離が長くなってしまうため、狭所における作業性が非常に悪くなってしまうという問題点があった。また、前記狭所における作業性の悪さにより当該ロープより配管が抜け落ちる危険性もあり人身事故の発生原因になるなど安全性においても問題点があった。
【０００４】
本発明は、以上のような問題点を解決するために成されたものであり、狭所における配管の吊り上げ又は吊り下げ作業の作業性を改善すると共に、配管の落下等による人身事故を防止して安全性の向上を図ることができる、配管吊り具を提供することを目的とする。
【０００５】
【課題を解決するための手段】
上記課題を解決するため、本発明の配管吊り具は、配管の外周部を締着するため当該配管の外周径より僅かに狭い内周径を有したバンド体において、該バンド体の外周上にチェーンブロック等のフックを掛止するための吊りピース部を少なくとも１箇所以上配設し、更に配管の外周部に当該バンド体をボルト及びナット等にて締着するためのジョイント部を少なくとも１箇所以上配設して構成する。
【０００６】
【発明の実施の形態】
本発明の実施の形態を図を用いて説明する。図１は本発明の配管吊り具の一実施例における斜視図であり、また、図２は本発明の配管吊り具の一実施例における吊りピース部の拡大斜視図、図３は本発明の配管吊り具の一実施例におけるジョイント部の拡大斜視図である。
【０００７】
図１に示す配管吊り具１においては、配管の外周部を締着するためのジョイント部６が２箇所あるためバンド体２の形状は半円形状を成し、該バンド体２の両端部においてジョイント部６を形成している。また、該バンド体２の外周上中央部にはチェーンブロック等のフックを掛止するための吊りピース部３を配設している。このため、前記半円形状のバンド体２を配管を挟んで内面が向き合うように配設し、互いに対面したジョイント部６にて配管を締着することになる。
【０００８】
吊りピース部３は、図２に示すようにチェーンブロック等のフックを掛止して吊るための吊り孔４を有しており、バンド体２の長手方向と直角に溶接して固着すると共に、更に補強のための補強板５を当該吊りピース部３の端部両面に溶接して構成する。
【０００９】
ジョイント部６は、図３の（ａ）に示すように互いに対面したジョイント部６をボルト７及びナット８にて螺着するための掛止孔９を有しており、バンド体２の長手方向と直角に折り曲げて形成し又は溶接して固着すると共に、更に補強のための補強板１２を当該ジョイント部６の端部に溶接して構成する。また、図３の（ｂ）に示すように前述の掛止孔９の代わりに掛止溝１０を形成し、頭部を削除したボルト７’の端部に軸１１を貫通させて軸止し、ジョイント部６にて図中矢印のように回動可能に構成すれば、予めナット８をボルト７’に螺着しておくことにより、ジョイント部６を締着する度にボルト７及びナット８を用意する必要がなく便利である。なお、図３においてジョイント部６のボルト７及びナット８による螺着箇所を２箇所で行っているが、その箇所数及び位置は特に限定するものではない。
【００１０】
また、図４は本発明の配管吊り具の各種実施形状を表した側面図であり、（ａ）は配管１３を１本のバンド体２で締着した形態を示しており、比較的径の小さな配管に適合するものである。この場合、吊りピース部３及びジョイント部６は１箇所ずつ配設され、バンド体２自体は略円形状を成している。そして、該ジョイント部６のボルト７及びナット８を緩めて配管１３の端部より当該バンド体２を挿入した後、前記ジョイント部６のボルト７及びナット８を螺着することにより配管１３に配管吊り具１を締着することができる。次に、（ｂ）は配管１３を２本のバンド体２で締着した形態を示しており、比較的径の大きな配管に適合するものである。この場合、吊りピース部３及びジョイント部６は全体として２箇所ずつ配設され、バンド体２自体は略半円形状を成している。そして、該ジョイント部６のボルト７及びナット８を外して配管１３の側面より当該バンド体２を配設した後、前記ジョイント部６のボルト７及びナット８を螺着することにより配管１３に配管吊り具１を締着することができる。次に、（ｃ）も上記と同様に配管１３を２本のバンド体２で締着した形態を示しており、更に径の大きな配管に適合するものである。この場合、吊りピース部３は全体として４箇所配設され、ジョイント部６は全体として２箇所配設され、バンド体２自体は略半円形状を成している。そして、該ジョイント部６のボルト７及びナット８を外して配管１３の側面より当該バンド体２を配設した後、前記ジョイント部６のボルト７及びナット８を螺着することにより配管１３に配管吊り具１を締着することができる。
【００１１】
配管１３の径には、例えば１０Ａ，２０Ａ‥‥１００Ａ，２００Ａ‥‥５００Ａ，１０００Ａのように規格化された多種類の径があるが、本発明の配管吊り具１は各規格化された径を有する配管１３に適合するため、各径専用の配管吊り具１を用意して使用するものである。
【００１２】
【実施例】
本発明の実施例を図を用いて説明する。図５は本発明の配管吊り具を使用して配管を横向きに吊り上げ又は吊り下げを行う状態を表した実施例図であり、図６は本発明の配管吊り具を使用して配管を縦向きに吊り上げ又は吊り下げを行う状態を表した実施例図である。
【００１３】
配管１３を横向きに吊り上げ又は吊り下げる場合は、図５に示すように配管１３の両端付近に配管吊り具１のバンド体２の吊りピース部３が同一方向になるように配設し、ジョイント部６のボルト７及びナット８にて締着する。そして、該配管吊り具１の吊りピース部３にある吊り孔４にチェーンブロック１４のチェーン１５の先端部にあるフック１６を直接掛止し、又は吊り孔４がフック１６より小さい場合にはシャックルを介して掛止することにより、スチール製等のロープを使用しなくとも吊り上げ又は吊り下げ作業を行うことができる。
【００１４】
また、配管１３を縦向きに吊り上げ又は吊り下げる場合は、図６に示すように配管１３の片側端部に配管吊り具１のバンド体２を配設し、ジョイント部６のボルト７及びナット８にて締着する。そして、該配管吊り具１の吊りピース部３にある吊り孔４にチェーンブロック１４のチェーン１５の先端部にあるフック１６を直接掛止し、又は吊り孔４がフック１６より小さい場合にはシャックルを介して掛止することにより、スチール製等のロープを使用しなくとも吊り上げ又は吊り下げ作業を行うことができる。
【００１５】
上述の実施例では、配管１３を横向き又は縦向きに吊り上げ又は吊り下げを行う状態を示したが、本発明の配管吊り具１は配管１３に強固に締着しているため抜け落ちることがなく、現場の状況に合わせて斜め方向に吊り上げ又は吊り下げ又は引っ張ることも可能であり、狭所において安全に作業が行える。
【００１６】
なお、本発明の配管吊り具１を構成するバンド体２や吊りピース部３及びジョイント部６等の形状及び構造は図示した形状及び構造に限定することなく、同様の作用を有するものはすべて包含するものである。また、材質等も特に限定するものではない。
【００１７】
【発明の効果】
以上述べたように、本発明の配管吊り具を使用すれば、配管に強固に締着された配管吊り具の吊りピース部にある吊り孔に、チェーンブロック等のチェーンの先端部にあるフックを直接又はシャックルを介して掛止することができるため、スチール製等のロープを使用しなくとも吊り上げ又は吊り下げを行うことができる。このため、狭所における配管の吊り上げ又は吊り下げ作業の作業性を著しく改善すると共に、配管の落下等による人身事故を防止して安全性の向上を著しく図ることができるという絶大な効果を奏することができる。
【図面の簡単な説明】
【図１】本発明の配管吊り具の一実施例における斜視図である。
【図２】本発明の配管吊り具の一実施例における吊りピース部の拡大斜視図である。
【図３】本発明の配管吊り具の一実施例におけるジョイント部の拡大斜視図である。
【図４】本発明の配管吊り具の各種実施形状を表した側面図である。
【図５】本発明の配管吊り具を使用して配管を横向きに吊り上げ又は吊り下げを行う状態を表した実施例図である。
【図６】本発明の配管吊り具を使用して配管を縦向きに吊り上げ又は吊り下げを行う状態を表した実施例図である。
【符号の説明】
１　配管吊り具
２　バンド体
３　吊りピース部
４　吊り孔
５　補強板
６　ジョイント部
７　ボルト
８　ナット
９　掛止孔
１０　掛止溝
１１　軸
１２　補強板
１３　配管
１４　チェーンブロック
１５　チェーン
１６　フック
【図１】
2004036872.tif 000003
【図２】
2004036872.tif 000004
【図３】
2004036872.tif 000005
【図４】
2004036872.tif 000006
【図５】
2004036872.tif 000007
【図６】
2004036872.tif 000008